(57)【要約】【課題】ユーザにとって利便性の高い機能制御を行うことができる近距離通信デバイス、機能制御方法及び機能制御システムを提供することを目的とする。【解決手段】ウェアラブルモジュール３０は、移動機１０と近距離通信可能なデバイスであり、機能部３３は、ロック・ロック解除可能な機能を実行し、リスト保持部３５は、機能のロック・ロック解除を許可するパスワードを、移動機１０毎に保持し、近距離無線通信部３１は、移動機１０からパスワードを含むと共に機能のロック又はロック解除の要求を受信し、ロック制御部３６は、要求に含まれるパスワードと、リスト保持部３５によって、要求の要求元の移動機１０に対応付けて保持されているパスワードとに基づいて、機能のロック・ロック解除を制御する。【選択図】図１
2015153186.tif 000002
【特許請求の範囲】
【請求項１】
端末装置と近距離通信可能な近距離通信デバイスであって、
停止及び停止解除可能な機能を実行する機能手段と、
前記機能手段による機能を停止又は停止解除を許可するための情報である許可情報を、端末装置毎に保持する許可情報保持手段と、
前記端末装置から、許可情報を含むと共に前記機能手段による機能停止又は停止解除の要求を受信する受付手段と、
前記受付手段によって受信された要求に含まれる許可情報と、前記許可情報保持手段によって、当該要求の要求元の前記端末装置に対応付けて保持される許可情報とに基づいて、前記機能手段による機能の停止又は停止解除を制御する制御手段と、
を備える近距離通信デバイス。
【請求項２】
互いに異なる複数の機能に係る複数の機能手段を備え、
前記許可情報保持手段は、前記許可情報を機能手段単位に保持する、請求項１に記載の近距離通信デバイス。
【請求項３】
前記制御手段は、前記機能手段による機能の停止又は停止解除の制御と合わせて、前記受付手段によって受信された要求に係る端末装置以外の端末装置に対して、前記許可情報保持手段によって、当該端末装置に対応付けて保持される許可情報を送信する、請求項１又は２に記載の近距離通信デバイス。
【請求項４】
生体の情報を入力して、入力した生体の情報に基づいて、前記機能手段による機能の停止又は停止解除を制御する第２制御手段を更に備える請求項１に記載の近距離通信デバイス。
【請求項５】
端末装置と近距離通信可能な近距離通信デバイスと、前記端末装置とを備える機能制御システムであって、
前記近距離通信デバイスは、
停止及び停止解除可能な機能を実行する機能手段と、
前記機能手段による機能を停止又は停止解除を許可するための情報である許可情報を、端末装置毎に保持する許可情報保持手段と、
前記端末装置から、許可情報を含むと共に前記機能手段による機能停止又は停止解除の要求を受信する受付手段と、
前記受付手段によって受信された要求に含まれる許可情報と、前記許可情報保持手段によって、当該要求の要求元の前記端末装置に対応付けて保持される許可情報とに基づいて、前記機能手段による機能の停止又は停止解除を制御する制御手段と、を備え、
前記端末装置は、
停止及び停止解除可能な機能を実行する端末側機能手段と、
前記端末側機能手段による機能の停止及び停止解除を許可するための情報である許可情報を保持する端末側許可情報保持手段と、
許可情報を受け付ける端末側受付手段と、
前記端末側受付手段によって受け付けられた許可情報と、前記端末側許可情報保持手段によって、保持される許可情報とに基づいて、前記端末側機能手段による機能の停止又は停止解除を制御すると共に、前記近距離通信デバイスに対して、許可情報を含む、前記機能手段による機能停止又は停止解除の要求を送信する端末側制御手段と、
を備える、機能制御システム。
【請求項６】
端末装置と近距離通信可能であると共に、停止及び停止解除可能な機能を実行する機能手段と、前記機能手段による機能を停止又は停止解除を許可するための情報である許可情報を、端末装置毎に保持する許可情報保持手段と、を備える近距離通信デバイスによる機能制御方法であって、
前記端末装置から、許可情報を含む、前記機能手段による機能停止又は停止解除の要求を受信する受付ステップと、
前記受付ステップにおいて受信された要求に含まれる許可情報と、前記許可情報保持手段によって、当該要求の要求元の前記端末装置に対応付けて保持される許可情報とに基づいて、前記機能手段による機能の停止又は停止解除を制御する制御ステップと、
を含む機能制御方法。
【請求項７】
端末装置と近距離通信可能な近距離通信デバイスと、前記端末装置とを備える機能制御システムで実行される機能制御方法であって、
前記近距離通信デバイスは、
停止及び停止解除可能な機能である機能手段と、
前記機能手段による機能を停止又は停止解除を許可するための情報である許可情報を、端末装置毎に保持する許可情報保持手段と、を備え、
前記端末装置は、
停止及び停止解除可能な機能を実行する端末側機能手段と、
前記端末側機能手段による機能の停止及び停止解除を許可するための情報である許可情報を保持する端末側許可情報保持手段と、を備え、
前記近距離通信デバイスが、
前記端末装置から、許可情報を含むと共に前記機能手段による機能停止又は停止解除の要求を受信する受付ステップと、
前記受付ステップによって受信された要求に含まれる許可情報と、前記許可情報保持手段によって、当該要求の要求元の前記端末装置に対応付けて保持される許可情報とに基づいて、前記機能手段による機能の停止又は停止解除を制御する制御ステップと、
前記端末装置が、
前記端末装置において、許可情報を受け付ける端末側受付ステップと、
前記端末側受付ステップによって受け付けられた許可情報と、前記端末側許可情報保持手段によって、保持される許可情報とに基づいて、前記端末側機能手段による機能の停止又は停止解除を制御すると共に、前記近距離通信デバイスに対して、許可情報を含む、前記機能手段による機能停止又は停止解除の要求を送信する端末側制御ステップと、
含む、機能制御方法。
【発明の詳細な説明】
【技術分野】
【０００１】
本発明は、近距離通信デバイス、機能制御方法及び機能制御システムに関する。
【背景技術】
【０００２】
従来から、携帯端末と近距離通信可能な認証情報記録体とを用いて、ロック制御を行う技術ものがある。例えば、特許文献１には、携帯端末が、通話処理の実行が禁止されたロック状態において、着呼があった場合に、ユーザが所有する認証情報記録体と近距離通信を行い、当該認証情報記録体が記録するＩＤ情報を取得して、当該ＩＤ情報が正当である場合に、ロック状態を解除することが記載されている。
【先行技術文献】
【特許文献】
【０００３】
【特許文献１】特開２０１３−１８７８７９号公報
【発明の概要】
【発明が解決しようとする課題】
【０００４】
特許文献１に記載の技術は、認証情報記録体を用いて、携帯端末のロック解除をするものであるが、ユーザに装着されるウェアラブルモジュールのロック制御をするものではない。ウェアラブルモジュールをロック制御（機能制御）する方法としては、ウェアラブルモジュールには入力手段が無いため、生体認証を用いた方法等が考えられる。
【０００５】
しかし、端末装置から近距離通信を用いてウェアラブルモジュールの機能制御をした方が、生体の認識誤りがないことから正確性等の点で優れている。しかしながら、一律にパスワード等の機能制御を行うための情報の入力による制御を行う場合には、当該情報の管理の手間や不整合を生じるおそれがある。具体的には例えば、端末装置の機能制御と、ウェアラブルモジュールの機能制御とを連動して行いたい場合がある。このような場合、例えば、端末装置における機能制御を行うためのパスワードと、ウェアラブルモジュールの機能制御を行うためのパスワードとを端末装置毎に設定しなければならない。その際に、端末装置における機能制御を行うためのパスワードとウェアラブルモジュールの機能制御を行うためのパスワードとをそれぞれ設定しなければならない手間や、それらのパスワードが異なるという不整合が生じる。
【０００６】
本発明は、上記の問題点を解決するためになされたものであり、ユーザにとって利便性の高い機能制御を行うことができる近距離通信デバイス、機能制御方法及び機能制御システムを提供することを目的とする。
【課題を解決するための手段】
【０００７】
本発明に係る近距離通信デバイスは、端末装置と近距離通信可能な近距離通信デバイスであって、停止及び停止解除可能な機能を実行する機能手段と、機能手段による機能を停止又は停止解除を許可するための情報である許可情報を、端末装置毎に保持する許可情報保持手段と、端末装置から、許可情報を含むと共に機能手段による機能停止又は停止解除の要求を受信する受付手段と、受付手段によって受信された要求に含まれる許可情報と、許可情報保持手段によって、当該要求の要求元の端末装置に対応付けて保持される許可情報とに基づいて、機能手段による機能の停止又は停止解除を制御する制御手段と、を備える。
【０００８】
また、本発明に係る端末装置による機能制御方法は、端末装置と近距離通信可能であると共に、停止及び停止解除可能な機能を実行する機能手段と、機能手段による機能を停止又は停止解除を許可するための情報である許可情報を、端末装置毎に保持する許可情報保持手段と、を備える近距離通信デバイスによる機能制御方法であって、端末装置から、許可情報を含む、機能手段による機能停止又は停止解除の要求を受信する受付ステップと、受付ステップにおいて受信された要求に含まれる許可情報と、許可情報保持手段によって、当該要求の要求元の端末装置に対応付けて保持される許可情報とに基づいて、機能手段による機能の停止又は停止解除を制御する制御ステップと、を含む。
【０００９】
このような本発明に係る近距離通信デバイス及び機能制御方法によれば、機能を停止又は停止解除を許可するための情報である許可情報を端末装置毎に保持するので、許可情報を送信可能な端末装置に応じて近距離通信デバイスに対して機能の停止又は停止解除をすることができ、ユーザにとって利便性の高い機能制御を行うことができる。
【００１０】
本発明に係る近距離通信デバイスでは、互いに異なる複数の機能に係る複数の機能手段を備え、許可情報保持手段は、許可情報を機能手段単位に保持してもよい。この場合、近距離通信デバイスにおいて、複数の機能を有している場合に、機能ごとで許可情報を保持するので、各機能単位で停止又は停止解除することができる。
【００１１】
また、本発明に係る近距離通信デバイスでは、制御手段は、機能手段による機能の停止又は停止解除の制御と合わせて、受付手段によって受信された要求に係る端末装置以外の端末装置に対して、許可情報保持手段によって、当該端末装置に対応付けて保持される許可情報を送信してもよい。この場合、近距離通信デバイスは、機能の停止又は停止解除を要求した機能の許可情報が定義されている端末装置の内、受付手段によって受信された要求に係る端末装置以外にも機能の停止又は停止解除を要求するので、端末装置が、一度近距離通信デバイスへ、機能停止又は停止解除をするだけで、近距離通信デバイスに対して制御可能な他の端末装置にも一括で機能部の停止又は停止解除の要求をすることができる。
【００１２】
また、本発明に係る近距離通信デバイスでは、生体の情報を入力して、入力した生体の情報に基づいて、前記機能手段による機能の停止又は停止解除を制御する第２制御手段を更に備えてもよい。この場合、近距離通信デバイスでは、生体の情報に基づいて、機能の停止又は停止解除するので、端末装置から機能の停止又は停止解除要求することなく、近距離通信デバイス独自で機能の停止又は停止解除することができる。
【００１３】
本発明に係る機能制御システムでは、端末装置と近距離通信可能な近距離通信デバイスと、端末装置とを備える機能制御システムであって、近距離通信デバイスは、停止及び停止解除可能な機能を実行する機能手段と、機能手段による機能を停止又は停止解除を許可するための情報である許可情報を、端末装置毎に保持する許可情報保持手段と、端末装置から、許可情報を含むと共に機能手段による機能停止又は停止解除の要求を受信する受付手段と、受付手段によって受信された要求に含まれる許可情報と、許可情報保持手段によって、当該要求の要求元の端末装置に対応付けて保持される許可情報とに基づいて、機能手段による機能の停止又は停止解除を制御する制御手段と、を備え、端末装置は、停止及び停止解除可能な機能を実行する端末側機能手段と、端末側機能手段による機能の停止及び停止解除を許可するための情報である許可情報を保持する端末側許可情報保持手段と、許可情報を受け付ける端末側受付手段と、端末側受付手段によって受け付けられた許可情報と、端末側許可情報保持手段によって、保持される許可情報とに基づいて、端末側機能手段による機能の停止又は停止解除を制御すると共に、近距離通信デバイスに対して、許可情報を含む、機能手段による機能停止又は停止解除の要求を送信する端末側制御手段と、を備える。
【００１４】
また、本発明に係る機能制御システムにおける機能制御方法は、端末装置と近距離通信可能な近距離通信デバイスと、端末装置とを備える機能制御システムで実行される機能制御方法であって、近距離通信デバイスは、停止及び停止解除可能な機能である機能手段と、機能手段による機能を停止又は停止解除を許可するための情報である許可情報を、端末装置毎に保持する許可情報保持手段と、を備え、端末装置は、停止及び停止解除可能な機能を実行する端末側機能手段と、端末側機能手段による機能の停止及び停止解除を許可するための情報である許可情報を保持する端末側許可情報保持手段と、を備え、近距離通信デバイスが、端末装置から、許可情報を含むと共に機能手段による機能停止又は停止解除の要求を受信する受付ステップと、受付ステップによって受信された要求に含まれる許可情報と、許可情報保持手段によって、当該要求の要求元の端末装置に対応付けて保持される許可情報とに基づいて、機能手段による機能の停止又は停止解除を制御する制御ステップと、端末装置が、端末装置において、許可情報を受け付ける端末側受付ステップと、端末側受付ステップによって受け付けられた許可情報と、端末側許可情報保持手段によって、保持される許可情報とに基づいて、端末側機能手段による機能の停止又は停止解除を制御すると共に、近距離通信デバイスに対して、許可情報を含む、機能手段による機能停止又は停止解除の要求を送信する端末側制御ステップと、含む。
【００１５】
このような本発明に係る機能制御システム及びシステムにおける機能制御方法によれば、近距離通信デバイスにおいて、機能を停止又は停止解除を許可するための情報である許可情報を端末装置毎に保持するので、許可情報を送信可能な端末装置に応じて近距離通信デバイスに対して機能の停止又は停止解除をすることができ、また、端末装置では、同一の許可情報を用いて、端末装置が保持する機能の停止又は停止解除をすることができる。
【発明の効果】
【００１６】
本発明によれば、ユーザにとって利便性の高い機能制御を行うことができる近距離通信デバイス、機能制御方法及び機能制御システムを提供することができる。
【図面の簡単な説明】
【００１７】
【図１】本発明の第１実施形態に係る機能制御システムのブロック図である。
【図２】リスト保持部１５及びリスト保持部３５が保持するリストのデータ例である。
【図３】移動機１０のハードウェア構成を示す図である。
【図４】ウェアラブルモジュール３０のハードウェア構成を示す図である。
【図５】パスワードの登録処理・ロック処理のシーケンス図である。
【図６】本発明の第１実施形態に係るロック解除処理のシーケンス図である。
【図７】本発明の第１実施形態に係るロック処理のフローチャートである。
【図８】本発明の第１実施形態に係るロック解除処理のフローチャートである。
【図９】本発明の第２実施形態に係る機能制御システムのブロック図である。
【図１０】本発明の第２実施形態に係るロック処理のシーケンス図である。
【発明を実施するための形態】
【００１８】
以下、添付図面を参照して、本発明の好適な実施形態について詳細に説明する。なお、図面の説明において同一又は相当要素には同一符号を付し、重複する説明は省略する。
【００１９】
（第１実施形態）
図１に本発明の第１実施形態に係る機能制御システム１のブロック図を示す。機能制御システム１は、移動機１０（端末装置）と、ウェアラブルモジュール３０（近距離通信デバイス）とを備えて構成される。移動機１０とウェアラブルモジュール３０とは近距離通信により互いに通信可能である。移動機１０は、具体的には、スマートフォンを含む携帯電話機等である。ウェアラブルモジュール３０は、ユーザが装着可能な装置である。具体的に、ウェアラブルモジュール３０は、外部との間で情報を入出力する機能としては、近距離通信機能のみ有していればよく、画面表示、音声出力、操作入力を受け付ける機能等については有していなくてもよい。但し、それらの機能を有しているものであってもよい。ウェアラブルモジュール３０の具体的な形態としては、指輪型、腕時計型等、ユーザが装着可能であれば、任意の形態をとることができる。通常、移動機１０のユーザとウェアラブルモジュール３０のユーザとは同一である。ウェアラブルモジュール３０では、チップ（例えば、ＲＦ（Radio Frequency）チップ、ＳＥ（Secure Elements）チップ等）を有しており、移動機１０からの要求により、上記チップを利用して機能を実行する。ここでいう機能の一例として、SEチップが保持する情報を移動機１０に送信する機能等がある。ここでSEチップとは、外部からの悪意を持った解析攻撃に耐えられるように設計され、データを安全に格納するメモリや、暗号ロジック回路（機能）を内蔵した部品のチップである。RFチップとは、非接触通信（近距離無線通信）を実現するためのチップである。
【００２０】
機能制御システム１では、移動機１０が、所定の機能をロック（機能停止）及びロック解除（機能停止解除）するためのパスワード（許可情報）を送信し、ウェアラブルモジュール３０が当該パスワードを要求元の移動機１０に対応付けて登録する。パスワードの登録後に、移動機１０が、上記パスワードを送信すると共に所定の機能のロック要求をすると、ウェアラブルモジュール３０は、受信したパスワードが、要求元の移動機１０に対応付けられたパスワードとして登録されていることを確認して、機能のロック又はロック解除を行う。
【００２１】
続いて、移動機１０及びウェアラブルモジュール３０の各ブロックの説明を行う。移動機１０は、近距離無線通信部１１と、入力部１２（端末側受付手段）と、機能部１３（端末側機能手段）と、チップ部１４と、リスト保持部１５（端末側許可情報保持手段）と、ロック制御部１６（端末側制御手段）とを有する。
【００２２】
近距離無線通信部１１は、ウェアラブルモジュール３０と近距離通信するための通信インターフェースである。例えば、ＢＬＥ（Bluetooth（登録商標） Low Energy）やＮＦＣ（Near field communication）である。近距離無線通信部１１は、ウェアラブルモジュール３０と近距離通信を行う際に、まず、ウェアラブルモジュール３０との間で接続を確立する。具体的には、近距離無線通信部１１は、ウェアラブルモジュール３０と通信するための接続パスワードをウェアラブルモジュール３０へ送信する。近距離無線通信部１１が接続パスワードをウェアラブルモジュール３０へ送信した結果、ウェアラブルモジュール３０において接続パスワードが正当なパスワードであると判定されると、近距離無線通信部１１は、ウェアラブルモジュール３０から接続可能の通知を受ける。近距離無線通信部１１は、当該通知を受けると、近距離無線通信部１１は、ウェアラブルモジュール３０に対して情報を送信することができ、ウェアラブルモジュール３０から情報を受信することができる。すなわち、移動機１０とウェアラブルモジュール３０とが互いに接続した状態（リンクした状態）になる。
【００２３】
上記接続パスワードは、入力部１２により入力されてもよいし、予め近距離無線通信部１１が保持していてもよい。なお、ウェアラブルモジュール３０の接続パスワードを近距離無線通信部１１が保持しておき、ウェアラブルモジュール３０からパスワードを受信すると共に接続要求を受け付けた場合に、保持しているパスワードに基づいて接続可能か否か判定し、接続可能の場合に、その旨通知して、ウェアラブルモジュール３０と接続した状態にするようにしてもよい。また、近距離無線通信部１１は、移動機１０を一意に識別し得る情報（端末識別情報）をウェアラブルモジュール３０へ送信する。ここで、端末識別情報は、加入者情報、移動機１０の物理ＩＤ等である。近距離無線通信部１１は、後述する入力部１２によって入力されたロックするためのパスワードをウェアラブルモジュール３０へ送信する。また、近距離無線通信部１１は、パスワードの登録要求をウェアラブルモジュール３０へ送信する。
【００２４】
入力部１２は、移動機１０の利用者から、ロック・ロック解除用のパスワードの登録受付等の情報を受け付ける部分である。入力部１２は、具体的には、パスワードの入力、登録要求、ロック解除要求等を受け付けるユーザインターフェース（操作画面、操作キー等）である。この入力部１２は、移動機１０が有する機能のロック・ロック解除用のパスワードの入力及びウェアラブルモジュール３０の機能のロック・ロック解除用のパスワードの入力を受け付ける。また、入力部１２は、ロック・ロック解除対象となる機能（チップ）の種別の入力も受け付ける。また、入力部１２は、ウェアラブルモジュール３０に対する生体認証によるパスワード設定要求やウェアラブルモジュール３０と接続するための接続パスワードの入力も受け付ける。また、入力部１２は、機能部１３が実行する機能やウェアラブルモジュール３０が実行する機能の実行要求に関する入力も受け付ける。入力部１２が入力を受け付けたパスワード等の情報や要求は、当該情報や要求に応じて機能部１３やロック制御部１６へ通知される。詳細については、後述する。
【００２５】
機能部１３は、後述するチップ部１４を用いて機能を実行する部分である。具体的には、機能部１３は、チップ部１４に含まれるチップ（ＳＥチップ及びＲＦチップ）を動作させて、機能を発揮させる。例えば、機能部１３は、移動機１０における動作に応じて、ＲＦチップを動作させて、近距離無線通信部１１との協業により非接触通信（近距離無線通信）を実行させる。あるいは、機能部１３は、入力部１２又は近距離無線通信部１１から入力された情報をＳＥチップに格納したり、ＳＥチップから情報を読み出して近距離無線通信部１１に出力したりする。
【００２６】
また、機能部１３により実行される機能は、ロック及びロック解除可能である。なお、機能をロックする単位は、チップ部１４に含まれるチップ（ＳＥチップ及びＲＦチップ）毎とすることができる。即ち、機能部１３は、ロックする単位毎に互いに異なる複数の機能を実行する。このように移動機１０は、複数の端末側機能手段を備える。但し、ロックする単位（端末側機能手段）は、必ずしも複数である必要はなく、１つであってもよい。機能部１３は、機能を実行する前に、後述するリスト保持部１５が保持しているリスト含まれる、実行する機能に係るチップに対応するロック状態を示す情報を参照して、ロック状態でなければ機能を実行し、ロック状態であれば機能を実行しない。ロック及びロック解除の具体的方法は、後述する。
【００２７】
チップ部１４は、非接触通信のためのチップであるＲＦチップやセキュアにデータを記憶することが可能なＳＥチップ等のチップである。本実施形態では、チップ部１４は、ＳＥチップとＲＦチップとのように複数種類のチップを有する。
【００２８】
リスト保持部１５は、移動機１０が実行する機能に対するロック・ロック解除用のパスワードのリストを保持する部分である。リスト保持部１５が保持するリストの例を図２（Ａ）に示す。図２（Ａ）に示すように、リスト保持部１５が保持するリストは、ロック・ロック解除の対象となるチップの種別と、ロック・ロック解除の状態と、ロック・ロック解除するためのパスワードとが対応付けられている。すなわち、リスト保持部１５は、チップの種別毎（すなわち、機能手段単位）にパスワードを保持している。図２（Ａ）の例では、ＲＦチップがロック状態であり、ＲＦチップをロック・ロック解除するためのパスワードが「００００」であることを示し、ＳＥチップがロック状態であり、ＳＥチップがロック状態であり、ＳＥチップがロック状態であり、ＳＥチップをロック・ロック解除するためのパスワードが「１１１１」であることを示している。
【００２９】
図１に戻り、ロック制御部１６は、入力部１２に入力されたロック・ロック解除用のパスワードと、リスト保持部１５が保持するリストのパスワードに基づいて、機能部１３が実行する機能のロック又はロック解除を実行すると共に、ウェアラブルモジュール３０に対して、当該パスワードを含むロック又はロック解除の要求を近距離無線通信部１１を介して送信する。具体的には、ロック制御部１６は、利用者の入力操作により入力部１２にロック・ロック解除用のパスワード、チップ種別、及びロック又はロック解除の要求の別（ロックをするか、ロック解除をするかの別）を入力する。ロック制御部１６は、リスト保持部１５が保持するリストにおける、入力したチップ種別に対応するパスワードが、入力されたロック・ロック解除用のパスワードと合致するか否かを判定する。それらが合致する場合には、ロック制御部１６は、リスト保持部１５が保持するリストの内、入力されたチップ種別に対応するロック状態を、ロック又はロック解除の要求に応じた情報に変更する処理を行う。例えば、ロック要求の場合、ロック制御部１６は、入力されたチップ種別に対応する、リスト保持部１５が保持するリストのロック状態をロックに変更し、ロック解除要求の場合、ロック制御部１６は、入力されたチップ種別に対応する、リスト保持部１５が保持するリストのロック状態をロック解除に変更する。
【００３０】
また、ロック制御部１６は、リスト保持部１５が保持するリストに対してロック状態を変更するだけでなく、チップ部１４のチップに対してロック・ロック解除するようにしてもよい。例えば、ロック制御部１６は、チップ部１４のチップの回路に対して、ロック・ロック解除要求の命令を送信する。この結果、チップ部１４のチップがロック状態である場合、仮に他の外部装置がチップ部１４のチップへ所定の要求（例えば、チップへの読出し要求等）をしても無応答（回答無し）になる。なお、ロック制御部１６は、チップ部１４のチップに対してロック・ロック解除するためにパスワードが必要な場合は、チップ部１４のチップの回路に対して、ロック・ロック解除要求の命令を送信する際にパスワード（例えば、入力部１２に入力されたロック・ロック解除用のパスワード（「００００」や「１１１１」））も送信してもよい。
【００３１】
そして、ロック制御部１６は、上記のようにリスト保持部１５が保持するリストのロック状態を変更した後に、入力部１２に入力されたロック・ロック解除用のパスワードを、近距離無線通信部１１を介して近距離通信によりウェアラブルモジュール３０へ送信すると共に、ロック又はロック解除要求をする。また、ロック制御部１６は、当該要求と合わせて、自機（移動機１０）の端末識別情報を、近距離無線通信部１１を介して近距離通信によりウェアラブルモジュール３０へ送信する。
【００３２】
また、ロック制御部１６は、利用者の操作入力により入力部１２に入力されたロック・ロック解除用のパスワード及びチップ種別に基づいて、リスト保持部１５に対してパスワード設定をする。具体的には、ロック制御部１６は、入力部１２にロック・ロック解除用のパスワード及びチップ種別と共にパスワード設定要求を入力する。ロック制御部１６は、リスト保持部１５が保持しているリストへ、入力したチップ種別とパスワードとを対応付けて登録する。リスト保持部１５への登録を終えた後に、ロック制御部１６は、近距離無線通信部１１を介して、ウェアラブルモジュール３０に対して、チップ種別とロック・ロック解除用のパスワードを近距離無線通信部１１を介して送信すると共に、ロック・ロック解除用のパスワード設定要求をする。また、ロック制御部１６は、当該要求と合わせて、自機（移動機１０）の端末識別情報を、近距離無線通信部１１を介して近距離通信によりウェアラブルモジュール３０へ送信する。ロック制御部１６は、このウェアラブルモジュール３０に対する当該パスワード設定要求した後に、ウェアラブルモジュール３０独自にロックを行うことができる生体認証によるパスワード設定要求をする。
【００３３】
続いて、ウェアラブルモジュール３０の各ブロックの説明をする。ウェアラブルモジュール３０は、近距離無線通信部３１（受付手段）、特殊入力部３２（第２制御手段）と、機能部３３（機能手段）と、チップ部３４と、リスト保持部３５（許可情報保持手段）と、ロック制御部３６（制御手段、第２制御手段）とを有する。
【００３４】
近距離無線通信部３１は、移動機１０と近距離通信するための通信インターフェースである。例えば、ＢＬＥやＮＦＣである。近距離無線通信部１１は、移動機１０と近距離通信を行う際に、まず、移動機１０との間で接続を確立する。近距離無線通信部３１は、各移動機１０との接続可否を判定するための接続パスワードを有している。近距離無線通信部３１は、移動機１０から当該接続パスワードを受信する。近距離無線通信部３１は、移動機１０から受信した接続パスワードと保持している接続パスワードとを照合する。両者のパスワードが一致している場合には、近距離無線通信部３１は、移動機１０とウェアラブルモジュール３０との通信を可能とし、接続パスワードを送信した移動機１０に対して接続可能の通知をする。この結果、移動機１０とウェアラブルモジュール３０とが互いに接続した状態になる。近距離無線通信部３１は、複数の移動機１０との接続を確立することができる。
【００３５】
近距離無線通信部３１は、移動機１０からロック・ロック解除用のパスワードを受信したり、移動機１０からのロック・ロック解除用のパスワード設定要求を受信したりする。また、近距離無線通信部３１は、移動機１０から上記の情報と合わせて、当該移動機１０の端末識別情報を受信する。近距離無線通信部３１は、受信した情報をロック制御部３６等へ通知する（詳細は、後述する）。なお、近距離無線通信部３１は、移動機１０の端末識別情報を移動機１０との間の接続に基づいて特定することとしてもよい（その場合、移動機１０からの、上記の情報と合わせての端末識別情報の送信は不要となる）。また、近距離無線通信部３１は、移動機１０からの要求の結果（例えば、ロック・ロック解除用のパスワード設定要求が成功したか否かを示す情報）を移動機１０へ送信する。また、近距離無線通信部３１は、移動機１０から、機能実行の要求、生体認証によるパスワード設定要求等の各種要求を受け付ける。
【００３６】
特殊入力部３２は、移動機１０からの生体認証によるパスワード設定要求に応じて、生体認証によるパスワードの入力を受け付ける。生体認証によるパスワードの例としては、指紋、瞳の中の虹彩等の生体認証情報に基づいたパスワードがある。特殊入力部３２の具体例としては、指紋・虹彩等の生体認証情報の読取装置である。特殊入力部３２は、利用者の生体認証情報を読み取ることで入力する。特殊入力部３２は、入力した生体認証情報を、後述するロック制御部３６へ通知する。なお、この場合、ロック制御部３６は、特殊入力部３２に入力された生体認証情報に基づいたパスワードを登録したり、利用者の操作により特殊入力部３２に入力された生体認証情報に基づいたパスワードと、後述するリスト保持部３５が保持するパスワードと照合したりする。なお、生体認証情報の読み取り（入力）は、従来と同様の方法で行うことができる。
【００３７】
機能部３３は、後述するチップ部３４を用いて機能を実行する部分である。具体的には、機能部３３は、チップ部３４に含まれるチップ（ＳＥチップ及びＲＦチップ）を動作させて、機能を発揮させる。例えば、機能部３３は、ウェアラブルモジュール３０における動作に応じて、ＲＦチップを動作させて、近距離無線通信部３１との協業により非接触通信（近距離無線通信）を実行させる。あるいは、機能部３３は、特殊入力部３２又は近距離無線通信部３１から入力された情報をＳＥチップに格納したり、ＳＥチップから情報を読み出して近距離無線通信部３１に出力したりする。
【００３８】
また、機能部３３により実行される機能は、ロック及びロック解除可能である。なお、機能をロックする単位は、チップ部３４に含まれるチップ（ＳＥチップ及びＲＦチップ）毎とすることができる。即ち、機能部３３は、ロックする単位毎に互いに異なる複数の機能を実行する。このようにウェアラブルモジュール３０は、複数の機能手段を備える。但し、ロックする単位（機能手段）は、必ずしも複数である必要はなく、１つであってもよい。機能部３３は、機能を実行する前に、後述するリスト保持部３５が保持しているリスト含まれる、実行する機能に係るチップに対応するロック状態を示す情報を参照して、ロック状態でなければ機能を実行し、ロック状態であれば機能を実行しない。ロック及びロック解除の具体的方法は、後述する。
【００３９】
チップ部３４は、非接触通信のためのチップであるＲＦチップやセキュアにデータを記憶することが可能なＳＥチップ等のチップである。本実施形態では、チップ部３４は、ＳＥチップとＲＦチップとのように複数種類のチップを有する。
【００４０】
リスト保持部３５は、ウェアラブルモジュール３０が実行する機能に対するロック・ロック解除用のパスワードのリストを保持する部分である。リスト保持部３５が保持するリストには、２種類ある。リスト保持部３５は、移動機１０から受信したパスワード・チップ種別に基づいたリストと、特殊入力部３２に入力された情報に基づいたパスワードと、チップ種別とに基づいたリストである。
【００４１】
リスト保持部３５が保持するリストの例を図２（Ｂ）及び（Ｃ）に示す。図２（Ｂ）は、移動機１０から受信したパスワード・チップ種別に基づいたリストである。移動機１０から受信したパスワード・チップ種別に基づいたリストは、移動機１０の種別（端末識別情報）と、ロック・ロック解除の対象となるチップの種別と、接続状態と、ロック・ロック解除するためのパスワードとが対応付けられている。ここで、端末識別情報とは、各移動機１０を識別し得る情報であり、各移動機１０のＩＤや加入者情報である。この端末識別情報は、移動機１０とウェアラブルモジュール３０とが接続状態にあるときにウェアラブルモジュール３０が受信可能な情報である。接続状態の情報は、ウェアラブルモジュール３０が移動機１０と接続状態にあるときは、上記リストの接続状態に「接続」と登録され、接続状態でないときは、上記リストの接続状態に「切断」と登録される。リストの接続状態は、接続状態が変更されたタイミングで近距離無線通信部３１によって更新される。このように、リスト保持部３５は、移動機１０毎（すなわち端末装置毎）、且つチップ種別毎（すなわち機能手段単位）にパスワードを保持している。図２（Ｂ）の例では、端末Ａからの、ＲＦチップに対するロック・ロック解除のパスワードが「００００」であり、現状端末Ａが接続していることを示している。また、端末Ｂからの、ＳＥチップに対するロック・ロック解除のパスワードが「１１１１」であり、現状端末Ｂが切断状態（接続していない状態）であることを示している。
【００４２】
図２（Ｃ）は、特殊入力部３２に入力された生体認証情報に基づいたパスワードと、チップ種別とに基づいたリストである。特殊入力部３２に入力された生体認証情報に基づいたパスワードと、チップ種別とに基づいたリストは、ロック・ロック解除対象となるチップの種別と、ロック・ロック解除の状態と、ロック・ロック解除するためのパスワードとが対応づけられている。図２（Ｃ）の例では、ＲＦチップ、ＳＥチップのロック・ロック解除するためのパスワードが「ＡＡＡＡ」である。なお、チップ毎に当該パスワードが異なっていてもよい。そして、ＲＦチップ及びＳＥチップは、ロック状態であることを示す。なお、上記パスワード「ＡＡＡＡ」は、特殊入力部３２に入力された情報に基づいたパスワードをロック制御部３６が変換したことにより生成されたパスワードである。
【００４３】
図１に戻り、ロック制御部３６は、特殊入力部３２に入力された生体認証情報に基づくパスワードと、リスト保持部３５が保持するリストの情報とに基づいて、機能部３３が実行する機能のロック又はロック解除を実行する。具体的に、ロック制御部３６は、リスト保持部３５が保持するリストにおける各チップ種別に対応するパスワードが入力されたパスワードと合致するか否かを判定する。これらが合致する場合には、ロック制御部３６は、リスト保持部３５が保持するリストの内、合致したパスワードに対応するチップ種別に対応する状態を変更する処理を行う。例えば、ロック制御部３６は、当該状態がロック解除であれば当該状態をロックに変更し、当該状態がロックであれば当該状態をロック解除に変更する。あるいは、上記のようにロック状態を逆にするものではなく、一律に状態をロックあるいはロック解除の何れかにすることとしてもよい。また、ロック又はロック解除の要求の別（ロックをするか、ロック解除をするかの別）を入力して、それに応じてロック状態を変更することとしてもよい。
【００４４】
また、ロック制御部３６は、近距離無線通信部３１を介して移動機１０から受信したロック・ロック解除用のパスワードとチップ種別と移動機１０の識別情報である端末識別情報とに基づいて、機能部３３が実行する機能のロック又はロック解除を実行する。具体的には、ロック制御部３６は、リスト保持部３５が保持するリストから、受信した端末識別情報とチップ種別とに対応するパスワード（すなわち、要求元の移動機１０に対応付けられているパスワード）を取得する。ロック制御部３６は、リストから取得したパスワードと、移動機１０から受信したパスワードとが合致するか否かを判定する。合致する場合には、ロック制御部３６は、リスト保持部３５が保持するリストの内、入力されたチップ種別に対応する状態を変更する処理を行う。ロック制御部３６は、移動機１０から受信したパスワードがロック用である場合には、当該状態をロックに変更し、ロック解除用である場合には、当該状態をロック解除に変更する。
【００４５】
また、ロック制御部３６は、リスト保持部３５が保持するリストに対してロック状態を変更するだけでなく、チップ部３４のチップに対してロック・ロック解除するようにしてもよい。例えば、ロック制御部３６は、チップ部３４のチップの回路に対して、ロック・ロック解除要求の命令を送信する。この結果、チップ部３４のチップがロック状態である場合、仮に他の外部装置が、チップ部３４のチップへ所定の要求（例えば、チップへの読出し要求等）をしても無応答（回答無し）になる。なお、ロック制御部３６は、チップ部３４のチップに対してロック・ロック解除するためにパスワードが必要な場合は、チップ部３４のチップの回路に対して、ロック・ロック解除要求の命令を送信する際にパスワード（例えば、特殊入力部３２に入力された生体認証情報に基づいたパスワード「ＡＡＡＡ」）も送信してもよい。
【００４６】
また、ロック制御部３６は、近距離無線通信部３１を介して移動機１０から生体認証情報によるパスワード設定要求を受信する。ロック制御部３６は、当該要求を受信すると、特殊入力部３２に生体認証情報を入力させる制御を行う。ロック制御部３６は、特殊入力部３２から生体認証情報が入力されると、入力した生体認証情報をパスワード変換し、変換したパスワードと各チップ種別とを対応付けて、リスト保持部３５（図２（Ｃ）のリスト）へ登録する。なお、この登録の際、ユーザ操作等によってチップ種別の情報を入力し、生体認証情報に基づくパスワードをチップ種別毎にリスト保持部３５に登録してもよい。
【００４７】
また、ロック制御部３６は、移動機１０から受信したパスワードとチップ種別と移動機１０の識別情報である端末識別情報とを受信すると共に、パスワードの登録要求を受信した場合、端末識別情報と、チップ種別とパスワードとを対応付けてリスト保持部３５（図２（Ｂ）のリスト）へ登録する。
【００４８】
（ハードウェア構成図の説明）
続いて、移動機１０及びウェアラブルモジュール３０のハードウエア構成について説明する。まずは、移動機１０のハードウェア構成図の説明をする。移動機１０は、図３に示すように、１又は複数のＣＰＵ１１０、主記憶装置であるＲＡＭ１１１及びＲＯＭ１１２、入力デバイスであるキーボード及びマウス等の入力装置１１３、ディスプレイ等の出力装置１１４、ＮＦＣやＢＬＥ等の近距離通信用の通信モジュールである近距離通信モジュール１１５、各種サーバ等と通信するためのモジュールであり、ネットワークカード等のデータ送受信デバイスである移動体通信モジュール１１６、半導体メモリ等の補助記憶装置１１７などを含むコンピュータシステムとして構成されている。移動機１０は、図３に示すＣＰＵ１１０、ＲＡＭ１１１等のハードウェア上に所定のコンピュータソフトウェアを読み込ませることにより、ＣＰＵ１１０の制御のもとで入力装置１１３、出力装置１１４、近距離通信モジュール１１５、移動体通信モジュール１１６を動作させるとともに、ＲＡＭ１１１や補助記憶装置１１７におけるデータの読み出し及び書き込みを行うことで実現される。
【００４９】
続いて、ウェアラブルモジュール３０のハードウェア構成図の説明をする。ウェアラブルモジュール３０は、図４に示すように、物理的には、例えば、ＣＰＵ３１１、ＲＯＭやＲＡＭ等のメモリ３１２、近距離通信モジュール３１３、およびＵＩＭ４０とデータのやり取りをするためのＩＦＤ（InterFace Device）３１４から構成される。
【００５０】
また、ＵＩＭ４０は、物理的には、例えば、ＣＰＵ３１５、ＲＯＭやＲＡＭ等のメモリ３１６、ＥＥＰＲＯＭ等の不揮発性メモリ３１８、およびウェアラブルモジュール３０とのデータのやり取りを制御するＩ／Ｏ制御部３１７から構成される。
【００５１】
続いて、図５及び６のシーケンス図、図７及び８のフローチャートを用いて、第１実施形態に係る機能制御システム１で実行される処理及び動作を説明する。図５に記載のシーケンス図は、移動機１０の機能及びウェアラブルモジュール３０の機能についてのロック・ロック解除するためのパスワード設定処理と、移動機１０及びウェアラブルモジュール３０のロック処理のシーケンス図である。
【００５２】
まず、入力部１２は、利用者の入力操作により、ロック・ロック解除用のパスワードの設定要求と、ロック・ロック解除用のパスワードと、チップ種別との入力を受け付ける（ステップＳ１）。ステップＳ１で入力部１２が入力を受け付けた後、入力部１２は、ロック・ロック解除用のパスワードの設定要求と、ロック・ロック解除用のパスワードと、チップ種別とをロック制御部１６へ通知する。ロック制御部１６は、当該ロック・ロック解除用のパスワードと、チップ種別とを対応付けた情報をリスト保持部１５が保持するリスト（図２（Ｂ）のリスト）へ登録・保存する（ステップＳ２）。ロック制御部１６は、当該リスト保持部１５が保持するリストへの登録・保存が正常終了したことを確認すると（ステップＳ３）、当該リスト保持部１５が保持するリストへ登録した旨を入力部１２へ通知する（ステップＳ４）。
【００５３】
ロック制御部１６から当該リスト保持部１５が保持するリストへ登録した旨を、入力部１２が受信した後に、利用者の入力操作により入力部１２に対して、ウェアラブルモジュール３０への接続パスワード（接続ＰＷ）が入力されると、当該接続パスワードを移動機１０の近距離無線通信部１１を介してウェアラブルモジュール３０の近距離無線通信部３１へ送信する（ステップＳ５）。
【００５４】
近距離無線通信部３１は、移動機１０から受信した接続パスワードを照合した結果、近距離無線通信部３１が保持しているパスワードと合致した場合、照合が正常終了した旨の情報（例えば、ＯＫ）を移動機１０へ送信する（ステップＳ６）。
【００５５】
ロック制御部１６は、チップ種別、ロック・ロック解除用のパスワード（例えば、「００００」）、及び端末識別情報を近距離無線通信部３１を介してウェアラブルモジュール３０の近距離無線通信部３１へ送信すると共に、パスワードの登録要求を行う（ステップＳ７）。
【００５６】
ウェアラブルモジュール３０のロック制御部３６は、近距離無線通信部３１を介して、チップ種別、パスワード（例えば、「００００」）、及び端末識別情報を受信すると共に、ロック・ロック解除用のパスワードの設定要求を受信すると、チップ種別、ロック・ロック解除用のパスワード及び端末識別情報を対応付けた情報をリスト保持部３５のリストへ登録する（ステップＳ８）。
【００５７】
リストへの登録が正常終了した場合（ステップＳ９）、ロック制御部３６は、リストへの登録が正常終了した旨を移動機１０へ通知すると共に、移動機１０からのパスワード要求対象のウェアラブルモジュール３０のチップに対して、生体認証によるパスワードが設定されていない場合、その旨の情報も通知する（ステップＳ１０）。
【００５８】
移動機１０が生体認証によるパスワードが設定されていない旨の情報をウェアラブルモジュール３０から受信した場合、それに応じて入力部１２が生体認証設定要求の入力操作を受け付けると、近距離無線通信部１１を介してウェアラブルモジュール３０へ生体認証によるパスワード設定要求をする（ステップＳ１１）。
【００５９】
近距離無線通信部３１を介して、ロック制御部３６が生体認証によるパスワード設定要求を受信すると、ロック制御部３６は、特殊入力部３２に対して生体認証によるパスワード設定要求を通知する（ステップＳ１２）。特殊入力部３２は、生体認証によるパスワード設定要求に応じて、利用者操作による生体認証情報の入力を受け付け、生体認証情報の入力を受け付けた後に、受け付けた生体認証情報をロック制御部３６へ通知する（ステップＳ１３）。
【００６０】
ロック制御部３６は、生体認証情報を変換したパスワード（例えば、「ＡＡＡＡ」）と、移動機１０からのパスワード設定要求のチップ種別とを対応付けた情報をリスト保持部３５のリスト（図２（Ｃ）のリスト）へ登録する（ステップＳ１４）。そして、リスト保持部３５への登録処理が正常終了した場合、ロック制御部３６は、登録処理が正常終了した旨を移動機１０へ通知し（ステップＳ１５）、ロック・ロック解除用のパスワード設定処理を終了する。
【００６１】
続いて、移動機１０からのロック処理について説明する。移動機１０の入力部１２が利用者による操作入力により、ロック要求とロック・ロック解除用のパスワード（「００００」）の入力を受け付けると（ステップＳ１６  端末側受付ステップ）、入力部１２は、当該ロック要求と、ロック・ロック解除用のパスワードとロック要求対象のチップ種別とをロック制御部１６へ通知する（ステップＳ１７）。ロック制御部１６は、ロック要求対象のチップ種別のパスワードをリスト保持部１５のリスト（図２（Ａ）のリスト）から取得し、取得したパスワードと入力部１２から受信したロック・ロック解除用のパスワードとを照合して（ステップＳ１８）、一致した場合には、リスト保持部１５のリストへのロック状態の変更処理を行う（ステップＳ１９  端末側制御ステップ）。具体的に、ロック制御部１６は、リスト保持部１５が保持するリストにおける、入力部１２から受信したチップ種別と同一のチップ種別に対応するロック状態を「ロック」に変更する。上記ロック状態の変更処理が正常終了した場合（ステップＳ２０）、ロック制御部１６は、ロック・ロック解除用のパスワードとロック要求対象のチップ種別と、端末識別情報とを近距離無線通信部１１を介してウェアラブルモジュール３０へ送信すると共に、ロック要求をする（ステップＳ２１  端末側制御ステップ）。
【００６２】
上記ロック要求に応じて、ロック制御部３６は、近距離無線通信部３１を介してロック・ロック解除用のパスワードとロック要求対象のチップ種別と、端末識別情報とを受信する。そして、ロック制御部３６は、リスト保持部３５が保持しているリスト（図２（Ｂ）のリスト）から、当該端末識別情報とロック要求対象のチップ種別とに対応するロック・ロック解除用のパスワードを取得要求する（ステップＳ２２  受付ステップ、制御ステップ）。そして、ロック制御部３６は、上記リスト保持部３５のリストからパスワード（「００００」）を取得する(ステップＳ２３)。
【００６３】
ロック制御部３６は、上記リスト保持部３５のリストから取得したロック・ロック解除用のパスワードと移動機１０から受信したロック・ロック解除用のパスワードとを照合して、両者のパスワードが一致した場合（ステップＳ２４）、ロック制御部３６は、上記リスト保持部３５のリストに対してロックしている旨の情報を設定する（ステップＳ２５  制御ステップ）。具体的には、ロック制御部３６は、ロック要求対象のチップ種別のリストの状態をロック状態と設定する。
【００６４】
ロック制御部３６は、リスト保持部３５のリストに対する設定が正常終了した場合（ステップＳ２６）、ロック制御部３６から移動機１０に対して、ロックが正常終了した旨を通知して（ステップＳ２７）、ロック処理を終了する。
【００６５】
続いて、図６に示すシーケンス図を用いて、ウェアラブルモジュール３０単独のロック処理と、ウェアラブルモジュール３０単独のロック解除処理と、移動機１０とウェアラブルモジュール３０と連動したロック解除処理を説明する。
【００６６】
まず、ステップＳ３１〜Ｓ３５における、ウェアラブルモジュール３０単独のロック処理を説明する。特殊入力部３２が生体認証の情報を受信すると（ステップＳ３１）、特殊入力部３２からロック制御部３６へ生体認証情報を送信する（ステップＳ３２）。ロック制御部３６は、特殊入力部３２から受信した生体認証情報を変換する。そして、ロック制御部３６は、リスト保持部３５が保持しているリスト（図２（Ｃ）のリスト）のパスワードの内、生体認証情報を変換した情報に合致するパスワードがある場合（ステップＳ３３）、当該パスワードに対応するチップに対するロック要求をする（ステップＳ３４）。具体的には、ロック制御部３６は、上記のリスト保持部３５が保持しているリストの内、当該パスワードに対応するロック状態の情報を「ロック」に設定する。ロック制御部３６がロック設定を正常終了した場合（ステップＳ３５）、ウェアラブルモジュール３０単独のロック処理を終了する。
【００６７】
続いて、ステップＳ３６〜Ｓ４０における、ウェアラブルモジュール３０単独のロック解除処理を説明する。利用者の入力操作により、特殊入力部３２が生体認証情報を受信すると（ステップＳ３６）、特殊入力部３２からロック制御部３６へ生体認証情報を送信する（ステップＳ３７）。ロック制御部３６は、特殊入力部３２から受信した生体認証情報を変換し、リスト保持部３５が保持しているリスト（図２（Ｃ）のリスト）のパスワードの内、生体認証情報を変換した情報に合致するパスワードがある場合（ステップＳ３８）、当該パスワードに対応するチップに対するロック解除要求をする（ステップＳ３９）。具体的には、ロック制御部３６は、上記リスト保持部３５が保持しているリストの内、当該パスワードに対応するロック状態の情報を「ロック解除」に設定する。ロック制御部３６が当該設定を正常終了した場合（ステップＳ４０）、ウェアラブルモジュール３０単独のロック処理を終了する。
【００６８】
続いて、ステップＳ４１〜Ｓ５２における、移動機１０と連動したロック解除処理を説明する。前提として、移動機１０が保持するチップ、ウェアラブルモジュール３０のチップ共にロックされている状態とする（図５に示したシーケンス図のステップＳ２７の状態）。移動機１０の入力部１２が利用者による操作入力により、ロック要求とロック・ロック解除用のパスワード（「００００」）の入力を受け付ける（ステップＳ４１）。入力部１２が当該入力を受け付けると、入力部１２は、当該ロック要求とパスワードとロック解除要求対象のチップ種別とをロック制御部１６へ通知する（ステップＳ４２）。ロック制御部１６は、ロック解除要求対象のチップ種別と同一のチップ種別に対応するパスワードをリスト保持部１５のリスト（図２（Ａ）のリスト）から取得する。そして、ロック制御部１６は、取得したパスワードと入力部１２から受信したロック・ロック解除用のパスワードとを照合して（ステップＳ４３）、一致した場合には、チップ部１４へのロック解除処理を行う（ステップＳ４４）。具体的に、ロック制御部１６は、上記リスト保持部１５が保持するリストにおける、入力部１２から受信したチップ種別と同一のチップ種別に対応するロック状態を「ロック解除」に変更する。ロック解除処理が正常終了した場合（ステップＳ４５）、ロック制御部１６は、ロック・ロック解除用のパスワードとロック解除要求対象のチップ種別と、端末識別情報を近距離無線通信部１１を介してウェアラブルモジュール３０へ送信すると共に、ロック解除要求をする（ステップＳ４６）。
【００６９】
ロック制御部３６は、近距離無線通信部３１を介してロック・ロック解除用のパスワードとロック解除要求対象のチップ種別と、端末識別情報を受信する。その後に、ロック制御部３６は、リスト保持部３５が保持しているリスト（図２（Ｂ）のリスト）から、当該端末識別情報とロック解除要求対象のチップ種別とに対応するパスワードを取得要求し（ステップＳ４７）、上記リスト保持部３５のリストからパスワード（「００００」）を取得する(ステップＳ４８)。
【００７０】
ロック制御部３６は、上記リスト保持部３５のリストから取得したパスワードと移動機１０から受信したパスワードとを照合して、両者のパスワードが一致した場合（ステップＳ４９）、ロック制御部３６は、リスト保持部３５のリストのロック状態をロック解除へ変更設定する（ステップＳ５０）。具体的には、ロック制御部３６は、ロック解除要求対象のチップ種別のリストのロック状態を「ロック解除」と設定する。
【００７１】
ロック制御部３６は、リスト保持部３５のリストへの設定処理が正常終了した場合（ステップＳ５１）、ロック制御部３６から移動機１０に対して、ロック解除が正常終了した旨を通知して（ステップＳ５２）、ロック解除処理を終了する。
【００７２】
続いて、図７に示すフローチャートを用いて、移動機１０とウェアラブルモジュール３０とが連動したロック処理を説明する。
【００７３】
入力部１２が、利用者の入力操作により、ロック要求と、ロック・ロック解除用のパスワードと、チップ種別との入力を受け付ける（ステップＳ６１）。そして、ロック制御部１６は、リスト保持部１５が保持しているリスト（図２（Ａ）のリスト）の内、入力部１２が受け付けたチップ種別と同一のチップ種別に対応するパスワードと、入力部１２が受け付けたロック・ロック解除用のパスワードが一致しているか否かを判定した結果、一致している場合（ステップＳ６２；ＹＥＳ）、ロック制御部１６は、移動機１０のチップのロック処理を実行する（ステップＳ６３）。そして、ロック制御部１６は、端末識別情報と、チップ種別と、ロック・ロック解除用のパスワードとをウェアラブルモジュール３０へ送信すると共に、ウェアラブルモジュール３０へロック要求する。
【００７４】
上記リスト保持部１５が保持しているリストの内、入力部１２が受け付けたチップ種別と同一のチップ種別に対応するパスワードと、入力部１２が受け付けたロック・ロック解除用のパスワードが一致していない場合（ステップＳ６２；ＮＯ）、ロック処理をしない（ステップＳ６４）。そして、ロック制御部１６は、端末識別情報と、チップ種別と、ロック・ロック解除用のパスワードとをウェアラブルモジュール３０へ送信すると共に、ウェアラブルモジュール３０へロック要求する。
【００７５】
移動機１０からロック要求を受け付けた場合、ウェアラブルモジュール３０のロック制御部３６は、移動機１０から受信した端末識別情報と、チップ種別と、に対応するパスワードを上記リスト保持部３５のリストから取得する。そして、ロック制御部３６は、リスト保持部３５のリストから取得したパスワードと移動機１０から受信したロック・ロック解除用のパスワードとが一致するか否かを判定して、一致する場合には、ウェアラブルモジュール３０のロック要求対象のチップのロック処理を行い（ステップＳ６６）、処理を終了する。
【００７６】
なお、上記リスト保持部３５のリストから取得したパスワードと移動機１０から受信したロック・ロック解除用のパスワードとが一致しない場合には、ウェアラブルモジュール３０のロック処理をすることなく（ステップＳ６７）、処理を終了する。図７に示したフローチャートでは、ステップＳ６４の後、ステップＳ６５に移動するが、ステップＳ６４の後、ステップＳ６５に移動することなく処理を終了してもよい。
【００７７】
このように、機能制御システム１では、移動機１０が有するチップと同一種類のチップをウェアラブルモジュール３０が有している場合において、それぞれのチップに対して同一のパスワードを設定していれば、連動してロック処理をすることができる。
【００７８】
続いて、図８に示すフローチャートを用いて、移動機１０とウェアラブルモジュール３０とが連動したロック解除処理を説明する。
【００７９】
入力部１２が、利用者の入力操作により、ロック解除要求と、ロック・ロック解除用のパスワードと、チップ種別との入力を受け付ける（ステップＳ７１）。そして、ロック制御部１６は、リスト保持部１５が保持しているリスト（図２（Ａ）のリスト）の内、入力部１２が受け付けたチップ種別に対応するパスワードと、入力部１２が受け付けたロック・ロック解除用のパスワードが一致しているか否かを判定した結果、一致している場合（ステップＳ７２；ＹＥＳ）、ロック制御部１６は、移動機１０のチップのロック解除処理を実行する（ステップＳ７３）。そして、ロック制御部１６は、端末識別情報と、チップ種別と、ロック・ロック解除用のパスワードとをウェアラブルモジュール３０へ送信すると共に、ウェアラブルモジュール３０へロック解除要求をする。
【００８０】
上記リスト保持部１５が保持しているリストの内、入力部１２が受け付けたチップ種別と同一のチップ種別に対応するパスワードと、入力部１２が受け付けたロック・ロック解除用のパスワードが一致していない場合（ステップＳ７２；ＮＯ）、ロック解除処理をしない（ステップＳ７４）。そして、ロック制御部１６は、端末識別情報と、チップ種別と、ロック・ロック解除用のパスワードとをウェアラブルモジュール３０へ送信すると共に、ウェアラブルモジュール３０へロック解除要求をする。
【００８１】
移動機１０からロック解除要求を受け付けた場合、ウェアラブルモジュール３０のロック制御部３６は、移動機１０から受信した端末識別情報と、チップ種別とに対応するパスワードを上記リスト保持部３５のリストから取得し、リスト保持部３５のリストから取得したパスワードと移動機１０から受信したロック・ロック解除用のパスワードとが一致するか否かを判定して、一致する場合には、ウェアラブルモジュール３０のロック解除要求対象のチップのロック解除処理を行い（ステップＳ７６）、処理を終了する。
【００８２】
なお、リスト保持部３５から取得したパスワードと移動機１０から受信したロック・ロック解除用のパスワードとが一致しない場合には、ウェアラブルモジュール３０のチップに対してロック解除処理をすることなく（ステップＳ７７）、処理を終了する。図８に示したフローチャートでは、ステップＳ７４の後、ステップＳ７５に移動するが、ステップＳ７４の後、ステップＳ７５に移動することなく処理を終了してもよい。
【００８３】
このように、機能制御システム１では、移動機１０が有するチップと同一種類のチップをウェアラブルモジュール３０が有している場合において、それぞれのチップに対して同一のパスワードを設定していれば、連動してロック解除処理をすることができる。
【００８４】
図５〜図８を用いた説明では、ウェアラブルモジュール３０は、１つの移動機１０からのロック制御を受けたが、異なる複数の移動機１０からロック制御を受けることもできる。その場合、異なる複数の移動機１０毎に上述した制御が行われる。また、その場合、移動機１０毎に異なるパスワードを設定することができる。当該パスワードは、各移動機１０においてロック制御に用いられるものとすることができる。例えば、一つの移動機１０ではパスワードを「００００」、別の移動機１０ではパスワードを「１１１１」とすることができる。なお、ウェアラブルモジュール３０における生体認証の設定は、何れかの移動機１０からの要求で行われればよい。
【００８５】
（第２実施形態）
続いて、図９に本発明の第２実施形態に係る機能制御システム１Ａのブロック図を示す。機能制御システム１は、移動機１０Ａと、移動機１０Ｂと、ウェアラブルモジュール３０Ａとを備えて構成される。
【００８６】
第２実施形態では、移動機１０Ａ及び移動機１０Ｂのそれぞれからウェアラブルモジュール３０に対してロック・ロック解除要求をする。例えば、移動機１０Ａからウェアラブルモジュール３０に対してあるチップのロック要求をした場合に、ウェアラブルモジュール３０が保持するロック要求対象のチップをロックした後に、ウェアラブルモジュール３０が上記ロック要求対象のチップのロック要求を移動機１０Ｂに対して行う。
【００８７】
移動機１０Ａ及び移動機１０Ｂは、それぞれ図１に示した移動機１０と同様であるので、移動機１０Ａ及び移動機１０Ｂのブロック図の説明を省略する。また、ウェアラブルモジュール３０Ａは、図１に示したウェアラブルモジュール３０と近距離無線通信部３１、特殊入力部３２、機能部３３、チップ部３４、及びリスト保持部３５については、同様であるので、近距離無線通信部３１、特殊入力部３２、機能部３３、チップ部３４、及びリスト保持部３５についての説明を省略する。
【００８８】
ロック制御部３６Ａは、移動機１０から受信したロック・ロック解除用のパスワードとチップ種別と移動機１０の識別情報である端末識別情報とに基づいて、機能部３３が実行する機能のロック又はロック解除を実行する内容のみが図１に示したロック制御部３６と異なり、それ以外は、図１に示したロック制御部３６と同様である。異なる点について具体的に説明すると、ロック制御部３６Ａは、リスト保持部３５が保持するリストから、受信した端末識別情報とチップ種別とに対応するパスワードを取得し、リストから取得したパスワードと、移動機１０から受信したロック・ロック解除用のパスワードとが合致するか否かを判定する。それらが合致する場合には、ロック制御部３６Ａは、リスト保持部３５が保持するリストの内、入力されたチップ種別に対応する状態をロックに変更する処理を行う。ロック制御部３６Ａは、当該処理を行うだけでなく、さらに、リスト保持部３５が保持するリストから、受信したチップ種別と合致し、且つリストの受信した端末識別情報とは異なる端末識別情報に対応付けられたパスワードを取得する。ロック制御部３６Ａは、当該異なる端末識別情報によって識別される移動機（例えば、移動機１０Ａからロック・ロック解除要求を受け付けた場合、移動機１０Ｂ）に対して、近距離無線通信部３１を介してロック・ロック解除要求をする。なお、後述する接続状態検知部３７がウェアラブルモジュール３０からロック・ロック解除要求する対象の移動機１０とウェアラブルモジュール３０との間に接続が確立されていることを検知した結果、接続状態にある場合に、当該移動機にロック・ロック解除要求をする。なお、当該要求を行う場合に、ロック制御部３６Ａが、接続状態検知部３７に上記の検知を要求してもよい。
【００８９】
接続状態検知部３７は、ロック制御部３６Ａが、ロック・ロック解除要求対象とする移動機１０との接続状態を検知する部分である。具体的には、接続状態検知部３７は、検知対象となる移動機１０に対応する、リスト保持部３５が保持するリストの接続状態を参照することにより、接続状態を検知する。接続状態検知部３７は、検知した接続状態をロック制御部３６Ａに通知する。なお、接続状態検知部３７は、近距離無線通信部３１と、ロック・ロック解除要求対象とする移動機（例えば、移動機１０Ｂ）との通信における応答を示す制御信号に基づいて接続状態を判定するようにしてもよい。さらに、接続状態検知部３７は、近距離無線通信部３１と、ロック・ロック解除要求対象とする移動機との通信時における電波強度、あるいは、Ｓ／Ｎ比（Signal To Noise Ratio）に基づいて接続状態を判定するようにしてもよい。
【００９０】
移動機１０Ａ、移動機１０Ｂ、及びウェアラブルモジュール３０Ａの動作例を図１０に示すシーケンス図を用いて説明する。図１０に示すシーケンス図は、移動機１０Ａからウェアラブルモジュール３０Ａへロック要求する処理のシーケンス図である。前提として、移動機１０Ａ、移動機１０Ｂ、及びウェアラブルモジュール３０Ａが共通種別のチップ（例えば、ＲＦチップ）を有しており、当該チップに対して、移動機１０Ａからロック・ロック解除用のパスワード「００００」でウェアラブルモジュール３０に対してパスワード設定要求がなされ、移動機１０Ｂからパスワード「１１１１」でウェアラブルモジュール３０に対してパスワード設定要求がなされているものとする。
【００９１】
ステップＳ１４１〜Ｓ１５２の処理は、図５に示したシーケンス図のステップＳ１６〜Ｓ２７と同様であるため、説明を省略する。
【００９２】
ステップＳ１５２の処理を終了した結果、ロック制御部３６により、リスト保持部３５が保持するリスト（図２（Ｂ）のリスト）のロック状態に対して「ロック」と設定され、その後に、ウェアラブルモジュール３０Ａは、上記リスト保持部３５のリストから、移動機１０Ａから受信したチップ種別と同一である、端末種別情報を取得する。そして、ウェアラブルモジュール３０Ａは、リスト保持部３５のリストから取得した端末種別情報の内、ロック要求をした移動機以外の移動機に対応する端末種別情報を特定する。具体的には、移動機１０Ａからロック要求を受信しているので、ロック制御部３６Ａは、移動機１０Ｂを特定し、接続状態検知部３７が、移動機１０Ｂとの接続状態を検知した場合（ステップＳ１５３）、ロック制御部３６Ａは、リスト保持部３５のリストから、端末種別情報が移動機１０Ｂに対応する情報であり、移動機１０Ａからのロック要求対象のチップ種別であるパスワードを取得要求する（ステップＳ１５４）。そしてロック制御部３６は、上記取得要求の結果、パスワード「１１１１」を取得する（ステップＳ１５５）。
【００９３】
ロック制御部３６Ａは、当該パスワード「１１１１」と移動機１０Ａからのロック要求対象のチップ種別を近距離無線通信部３１を介して、移動機１０Ｂへ送信すると共に、移動機１０Ｂが保持している、移動機１０Ａからのロック要求対象のチップ種別のチップのロック要求をする（ステップＳ１５６）。
【００９４】
移動機１０Ｂのロック制御部１６は、移動機１０Ｂの近距離無線通信部１１を介して、ウェアラブルモジュール３０からロック・ロック解除用のパスワード「１１１１」と移動機１０Ａからのロック要求対象のチップ種別を受信する。また、移動機１０Ｂのロック制御部１６は、移動機１０Ｂの近距離無線通信部１１を介して、移動機１０Ｂが保持している、移動機１０Ａからのロック要求対象のチップ種別のチップのロック要求を受け付ける。そして、ロック制御部１６は、ウェアラブルモジュール３０から受信したチップ種別に対応するパスワードを、リスト保持部１５が保持しているリスト（図２（Ａ）のリスト）から取得し、リストから取得したパスワードと、ウェアラブルモジュール３０から受信したロック・ロック解除用のパスワードとを照合して、一致することを確認する（ステップＳ１５７）。
【００９５】
リストから取得したパスワードと、ウェアラブルモジュール３０から受信したロック・ロック解除用のパスワードとが一致する場合には、ロック制御部１６は、上記リスト保持部１５が保持するリストにおける、ロック要求対象のチップのロック状態をロックに設定する（ステップＳ１５８）。そして、ロック状態の設定が正常終了した場合（ステップＳ１５９）、ロック制御部１６は、ウェアラブルモジュール３０に対して正常終了した旨、通知し（ステップＳ１６０）、処理を終了する。
【００９６】
上述の各実施形態では、特殊入力部３２は、生体認証の情報の入力を受け付ける場合について述べたが、振る動作等、ウェアラブルモジュール３０に対して行う動作に基づいた情報の入力を受け付けるようにしてもよい。このように、特殊入力部３２にウェアラブルモジュール３０に対して行う動作に基づいた情報が入力されると、ロック制御部３６は、入力された情報をパスワード変換し、変換したパスワードと各チップ種別とを対応付けて、リスト保持部３５（図２（Ｃ）のリスト）へ登録する。このパスワードを用いて、ロック制御部３６が、チップ部３４についてのロック・ロック解除処理をする。また、ウェアラブルモジュール３０独自でロック実行可能な方法として、生体認証の情報を受け付けて、ロックする場合について述べたが、予め定められた経過時間の閾値に基づいてロックするようにしてもよい。この場合、移動機１０の入力部１２を介して、ウェアラブルモジュール３０へ経過時間の閾値を設定することが考えられる。また、ウェアラブルモジュール３０がスイッチ、ボタン等を有する場合に、特殊入力部３２が、当該スイッチ、ボタン等の操作（例えば、押下操作）の入力を受け付けるようにしてもよい。このように、特殊入力部３２が上記のスイッチ、ボタンによる入力を受け付けると、ロック制御部３６は、入力された情報をパスワード変換し、変換したパスワードと各チップ種別とを対応付けて、リスト保持部３５（図２（Ｃ）のリスト）へ登録する。このパスワードを用いて、ロック制御部３６が、チップ部３４についてのロック・ロック解除処理をする。すなわち、ロック制御部３６は、上記スイッチ、ボタン等の押下操作に応じて、ロック・ロック解除処理をする。
【００９７】
（作用効果）
続いて、作用効果について説明する。ウェアラブルモジュール３０は、移動機１０と近距離通信可能なデバイスであり、機能部３３は、ロック・ロック解除可能な機能を実行し、リスト保持部３５は、機能のロック・ロック解除を許可するパスワードを、移動機１０毎に保持し、近距離無線通信部３１は、移動機１０からパスワードを含むと共に機能のロック又はロック解除の要求を受信し、ロック制御部３６は、要求に含まれるパスワードと、リスト保持部３５によって、要求の要求元の移動機１０に対応付けて保持されているパスワードとに基づいて、機能のロック・ロック解除を制御する。
【００９８】
この場合、ウェアラブルモジュール３０が、機能を停止又は停止解除を許可するための情報であるパスワードを移動機１０毎に保持するので、パスワードを送信可能な移動機１０に応じてウェアラブルモジュール３０に対して機能のロック・ロック解除をすることができ、ユーザにとって利便性の高い機能制御を行うことができる。例えば、複数の移動機１０から、当該移動機１０毎のパスワードによって、ロック・ロック解除をすることができ、ユーザにとって利便性の高い機能制御を行うことができる。
【００９９】
また、ウェアラブルモジュール３０では、機能部３３が、互いに異なる複数のチップを備え、リスト保持部３５は、パスワードをチップ種別毎に保持する。この場合、ウェアラブルモジュール３０は、複数のチップを有している場合に、チップごとでパスワードを保持するので、各チップ単位でロック・ロック解除をすることができる。
【０１００】
また、ウェアラブルモジュール３０Ａのロック制御部３６Ａは、チップ部３４のチップへのロック・ロック解除と合わせて、ロック・ロック解除要求した移動機１０以外の移動機１０に対してリスト保持部３５によって、当該移動機１０に対応付けて保持されるパスワードを送信する。この場合、ウェアラブルモジュール３０Ａは、ロック・ロック解除を要求した機能のパスワードが定義されている移動機１０の内、近距離無線通信部３１が受信した要求に係る移動機１０以外にもロック又はロック解除を要求するので、移動機１０が、一度ウェアラブルモジュール３０へ、ロック又はロック解除をするだけで、ウェアラブルモジュール３０に対して制御可能な他の移動機１０にも一括で機能のロック又はロック解除の要求をすることができる。
【０１０１】
また、特殊入力部３２は、生体の情報を入力して、ロック制御部３６は、入力した生体の情報に基づいて、機能のロック・ロック解除を制御する。この場合、ウェアラブルモジュール３０は、生体の情報に基づいて、機能のロック・ロック解除をするので、移動機１０から機能のロック・ロック解除要求することなく、ウェアラブルモジュール３０独自で機能のロック・ロック解除することができる。
【０１０２】
また、機能制御システム１は、移動機１０と近距離通信可能なウェアラブルモジュール３０と、移動機１０とを備える。ウェアラブルモジュール３０では、機能部３３がロック及びロック解除可能な機能を実行し、リスト保持部３５が、機能のロック・ロック解除を許可するための情報であるパスワードを、移動機１０毎に保持し、近距離無線通信部３１が、移動機１０から、パスワードを含むと共に機能のロック・ロック解除の要求を受信し、ロック制御部３６が、近距離無線通信部３１によって受信された要求に含まれるパスワードと、リスト保持部３５によって、当該要求の要求元の移動機１０に対応付けて保持されるパスワードとに基づいて、機能のロック・ロック解除をする。移動機１０は、機能部１３が、停止及び停止解除可能な機能を実行し、リスト保持部１５が、機能のロック・ロック解除の許可をするための情報であるパスワードを保持し、入力部１２が許可情報を受け付けて、ロック制御部１６が、当該パスワードと、リスト保持部１５が保持するパスワードとに基づいて、機能部１３による機能のロック又はロック解除を制御すると共に、ウェアラブルモジュール３０に対して、パスワードを含む、機能のロック又はロック解除の要求を送信する。
【０１０３】
この場合、ウェアラブルモジュール３０において、機能のロック・ロック解除を許可するための情報であるパスワードを移動機１０毎に保持するので、パスワードを送信可能な複数の移動機１０からウェアラブルモジュール３０に対して機能のロック又はロック解除をすることができ、また、移動機１０では、同一のパスワードを用いて、移動機１０が保持する機能のロック又はロック解除をすることができる。
【符号の説明】
【０１０４】
１…機能制御システム、１０…移動機、１１…近距離無線通信部、１２…入力部、１３…機能部、１４…チップ部、１５…リスト保持部、１６…ロック制御部、３０…ウェアラブルモジュール、３１…近距離無線通信部、３２…特殊入力部、３３…機能部、３４…チップ部、３５…リスト保持部、３６…ロック制御部、３７…接続状態検知部。
【図１】
2015153186.tif 000003
【図２】
2015153186.tif 000004
【図３】
2015153186.tif 000005
【図４】
2015153186.tif 000006
【図５】
2015153186.tif 000007
【図６】
2015153186.tif 000008
【図７】
2015153186.tif 000009
【図８】
2015153186.tif 000010
【図９】
2015153186.tif 000011
【図１０】
2015153186.tif 000012